【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
所定の床高さを有する基準床と、当該基準床とは異なる床高さを有するスキップ床を有するラーメン構造の建物であって、
所定の階層の床が基準床で構成された第一基本グリッドと、
前記所定の階層の床がスキップ床で構成された第二基本グリッドと、
前記第一基本グリッドと第二基本グリッドとを連結し、前記基準床と前記スキップ床とが混在して前記所定の階層の床段差部が形成された連結グリッドと、を有し、 
前記第一基本グリッド、第二基本グリッド、及び連結グリッドは、夫々４本の通し柱とこれらに剛接合された各階層の大梁とからなり、
前記連結グリッドは、
前記第一基本グリッドと共通の構成部材である通し柱と各階層の大梁、
前記第二基本グリッドと共通の構成部材である通し柱と各階層の大梁、
及び、前記第一基本グリッド及び第二基本グリッドと接しない面において、一方の基本
グリッドの大梁と高さが一致するように通し柱に剛接合された連結大梁、をグリッド構成部材としており、
前記基準床とスキップ床との段差部は、一端が前記連結グリッドを構成する通し柱に接合され他端が当該段差部近傍まで延伸するとともに、前記連結グリッドを構成する大梁または連結大梁に平面視で重なるように配置された部分梁を用いて構成されたことを特徴とする建物。
【請求項２】
所定の床高さを有する基準床と、当該基準床とは異なる床高さを有するスキップ床を有するラーメン構造の建物の設計方法であって、
所定の階層の床が基準床で構成された第一基本グリッドと、
前記所定の階層の床がスキップ床で構成された第二基本グリッドと、
前記第一基本グリッドと第二基本グリッドとを連結し、前記基準床と前記スキップ床とが混在して前記所定の階層の床段差部が形成された連結グリッドと、を有し、 
前記第一基本グリッド、第二基本グリッド、及び連結グリッドは、夫々４本の通し柱とこれらに剛接合された各階層の大梁とからなり、
前記連結グリッドは、
前記第一基本グリッドと共通の構成部材である通し柱と各階層の大梁、
前記第二基本グリッドと共通の構成部材である通し柱と各階層の大梁、
及び、前記第一基本グリッド及び第二基本グリッドと接しない面において、一方の基本
グリッドの大梁と高さが一致するように通し柱に剛接合された連結大梁、をグリッド構成部材としており、
前記基準床とスキップ床との段差部は、一端が前記連結グリッドを構成する通し柱に接合され他端が当該段差部近傍まで延伸するとともに、前記連結グリッドを構成する大梁または連結大梁に平面視で重なるように配置された部分梁を用いて構成されたことを特徴とする建物の設計方法。
【手続補正２】
【補正対象書類名】明細書
【補正対象項目名】０００８
【補正方法】変更
【補正の内容】
【０００８】
上記の課題を解決するために、本発明は、所定の床高さを有する基準床と、当該基準床とは異なる床高さを有するスキップ床を有するラーメン構造の建物であって、所定の階層の床が基準床で構成された第一基本グリッドと、前記所定の階層の床がスキップ床で構成された第二基本グリッドと、前記第一基本グリッドと第二基本グリッドとを連結し、前記基準床と前記スキップ床とが混在して前記所定の階層の床段差部が形成された連結グリッドと、を有し、前記第一基本グリッド、第二基本グリッド、及び連結グリッドは、夫々４本の通し柱とこれらに剛接合された各階層の大梁とからなり、前記連結グリッドは、前記第一基本グリッドと共通の構成部材である通し柱と各階層の大梁、前記第二基本グリッドと共通の構成部材である通し柱と各階層の大梁、及び、前記第一基本グリッド及び第二基本グリッドと接しない面において、一方の基本グリッドの大梁と高さが一致するように通し柱に剛接合された連結大梁、をグリッド構成部材としており、前記基準床とスキップ床との段差部は、一端が前記連結グリッドを構成する通し柱に接合され他端が当該段差部近傍まで延伸するとともに、前記連結グリッドを構成する大梁または連結大梁に平面視で重なるように配置された部分梁を用いて構成されたことを特徴とする建物を提案する。
【手続補正３】
【補正対象書類名】明細書
【補正対象項目名】００１２
【補正方法】変更
【補正の内容】
【００１２】
前記連結グリッドは、第一、第二基本グリッドと接する面における第一、第二基本グリッドを構成する通し柱及び第一、第二基本グリッドの各階層床を支持する大梁、並びに第一、第二基本グリッドと接しない面において一方の基本グリッドの大梁と高さが一致するように通し柱に接合された連結大梁をグリッド構成部材とし、前記基準床とスキップ床との段差部は、一端が前記通し柱に接合され、他端が前記大梁または連結大梁から起立或いは垂下した束柱に接合された部分梁を用いて構成してよい。
また、第一基本グリッド、第二基本グリッド、及び連結グリッドの床は、その一部に吹き抜けや階段室などの開口が形成されたものでもよい。
【手続補正４】
【補正対象書類名】明細書
【補正対象項目名】００１５
【補正方法】変更
【補正の内容】
【００１５】
また、本発明は、所定の床高さを有する基準床と、当該基準床とは異なる床高さを有するスキップ床を有するラーメン構造の建物の設計方法であって、所定の階層の床が基準床で構成された第一基本グリッドと、前記所定の階層の床がスキップ床で構成された第二基本グリッドと、前記第一基本グリッドと第二基本グリッドとを連結し、前記基準床と前記スキップ床とが混在して前記所定の階層の床段差部が形成された連結グリッドと、を有し、前記第一基本グリッド、第二基本グリッド、及び連結グリッドは、夫々４本の通し柱とこれらに剛接合された各階層の大梁とからなり、前記連結グリッドは、前記第一基本グリッドと共通の構成部材である通し柱と各階層の大梁、前記第二基本グリッドと共通の構成部材である通し柱と各階層の大梁、及び、前記第一基本グリッド及び第二基本グリッドと接しない面において、一方の基本グリッドの大梁と高さが一致するように通し柱に剛接合された連結大梁、をグリッド構成部材としており、前記基準床とスキップ床との段差部は、一端が前記連結グリッドを構成する通し柱に接合され他端が当該段差部近傍まで延伸するとともに、前記連結グリッドを構成する大梁または連結大梁に平面視で重なるように配置された部分梁を用いて構成されたことを特徴とする建物の設計方法を提案する。
【手続補正５】
【補正対象書類名】明細書
【補正対象項目名】００１８
【補正方法】変更
【補正の内容】
【００１８】
また、連結グリッドが連結大梁を備えているのでラーメン架構の連続性が保持される。従って、常に安定した架構を構成することができ、また、ラーメンの主架構に手を加えることなく、部分梁の長さや配置を適宜変更するだけで夫々の高さの床の領域を容易に（大掛りな構造計算のやり直しをすることなく）変更することができる。
【手続補正６】
【補正対象書類名】明細書
【補正対象項目名】００１９
【補正方法】変更
【補正の内容】
【００１９】
また、天井高の小さい、基準床とスキップ床との平面視において重なり合う部分を収納スペース等に利用することができる。
【手続補正７】
【補正対象書類名】明細書
【補正対象項目名】００２０
【補正方法】変更
【補正の内容】
【００２０】
請求項２の建物の設計方法によれば、連結グリッド内に限定して立体的な意匠設計や複雑な架構の設計を行うことができるので、熟練度の低い設計者であっても構造的に問題のないスキップ床を有する建物を比較的簡便に設計することができる。
【手続補正８】
【補正対象書類名】明細書
【補正対象項目名】００４６
【補正方法】変更
【補正の内容】
【００４６】
（第２実施例）
第１実施例と同一の構成については説明を省略する。第２実施例の建物は、図４に示すように、第１実施例と同じ高さに大梁３が接合された（同じ高さに床Ｂ２，Ｂ３が設定された）第一基本グリッドＡ１と第二基本グリッドＡ２が、連結グリッドＡ３を介して平面視でＬ字状となるように構成されている。ここで、３つのグリッドの接点となる入隅部の通し柱２´は３つのグリッド全てに共通する構成部材となっている。
【手続補正９】
【補正対象書類名】明細書
【補正対象項目名】００４７
【補正方法】変更
【補正の内容】
【００４７】
本実施例での連結グリッドＡ３の構成は、上記入隅部の対角線上に位置し第一基本グリッドＡ１や第二基本グリッドＡ２とは接しない隅部に通し柱２´´が配置され、二つの基本グリッドＡ１やＡ２とは接しない面の各階層には、連結グリッドＡ３の二つの基本グリッドＡ１，Ａ２のいずれかの大梁３と等しい高さとなるように連結大梁６が通し柱２、２´´間に架け渡され、剛接合されている。
【手続補正１０】
【補正対象書類名】明細書
【補正対象項目名】００４８
【補正方法】変更
【補正の内容】
【００４８】
第２実施例の第２層では、２本の連結大梁６の一方（第一基本グリッドＡ１側の）６´は第一基本グリッドＡ１の大梁３と等しい高さとなるように、他方（第二基本グリッドＡ２側）６´´は第二基本グリッドＡ２の大梁３と等しい高さとなるように設置されている。そして、部分梁８´は、第一基本グリッドＡ１と共通の構成部材である大梁３の中間部から起立した束９と通し柱２´によって第二基本グリッドＡ２側の連結大梁６´´と等しい高さとなるように支持され、部分梁８´´は第二基本グリッドＡ２側の連結大梁６´´から垂下した吊束７と通し柱２´´によって第一基本グリッドＡ１の大梁３と等しい高さとなるように支持されている。
ここで、部分梁８´は、一端が通し柱２´に接合され、他端が床Ｂ２ａ´と床Ｂ２ｂ´との段差部近傍まで延伸するとともに、連結グリッドＡ３を構成する大梁３に平面視で重なるように配置されている。
また、部分梁８´´は、一端が通し柱２´´に接合され、他端が前記段差部近傍まで延伸するとともに、連結グリッドＡ３を構成する連結大梁６´´に平面視で重なるように配置されている。
【手続補正１１】
【補正対象書類名】明細書
【補正対象項目名】００４９
【補正方法】変更
【補正の内容】
【００４９】
また、第３層では、２本の連結大梁６の双方が第一基本グリッドＡ１の大梁３と等しい高さとなるように設置されている。そして、２つの部分梁８は、第一基本グリッドＡ１と共通の構成部材である大梁３、及びこれに対向する連結大梁６の上フランジ中間部から起立した束９と第二基本グリッドＡ２側の通し柱２、２´によって第二基本グリッドの大梁３と等しい高さとなるように支持されている。
【手続補正１２】
【補正対象書類名】図面
【補正対象項目名】図４
【補正方法】変更
【補正の内容】
【図４】
2012184641.tif 000001